(57)【要約】【課題】少なくともそれぞれの包装ロールについて、製品および顧客についてのデータベースにアクセス可能とする製品識別情報を表示可能として、検査証機能および封止機能とともに、製品仕様、顧客情報あるいは製造情報などについての追跡調査を容易とし、ロール用紙やその包装などについての顧客からの問い合わせや苦情に対して、直ちに対応することができるようにした検査証ラベルを提供すること。【解決手段】ロール用紙の印刷デザインやその版番号などの製品仕様情報、顧客情報、あるいは、いつ、どこで、どのような材料で、製造されたものか、などの製造情報について、製品のデータベースにアクセス可能な製品識別情報をバーコードにより表示することに着目したもので、ロール用紙についての製品識別情報をバーコード表示部２４にバーコードにより表示していることを特徴とする。【選択図】図１
2008009045.tif 000002
【特許請求の範囲】
【請求項１】
複数巻のロール用紙を包装する包装袋の開口部を閉じるようにこの開口部に、このロール用紙の検査証として貼り付けるための検査証ラベルであって、
前記ロール用紙についての製品識別情報をバーコードにより表示していることを特徴とする検査証ラベル。
【請求項２】
前記製品識別情報は、前記ロール用紙の製造にあたっての版番号あるいはデザイン番号などの製品仕様情報を含むことを特徴とする請求項１記載の検査証ラベル。
【請求項３】
前記製品識別情報は、前記ロール用紙の顧客を識別可能とする顧客識別番号などの顧客情報を含むことを特徴とする請求項１記載の検査証ラベル。
【請求項４】
前記製品識別情報は、前記ロール用紙の製造日、製造場所、製造担当者あるいは製造材料に関する内容などの製造情報を含むことを特徴とする請求項１記載の検査証ラベル。
【発明の詳細な説明】
【技術分野】
【０００１】
本発明は検査証ラベルにかかるもので、とくにラベルやタグ（下げ札）などの印字用紙をロール状に巻いたロール用紙を包装する包装袋の開口部に貼り付けるための検査証ラベルに関するものである。
【背景技術】
【０００２】
従来の検査証ラベルについて図３および図４にもとづき概説する。
図３は、複数巻のロール用紙１を包装した包装袋２の斜視図であって、ロール用紙１は、たとえばラベル形態を有し、帯状の台紙３に複数枚のラベル片４を仮着してロール状に巻いたものである。
包装袋２は、通常は透明なビニール袋であって、このロール用紙１を複数巻（図示の例では、たとえば５巻）ごとに包装し、その開口部５を検査証ラベル６が閉じるように検査証ラベル６を貼り付けている。
【０００３】
検査証ラベル６は、ロール用紙１の、たとえば上記５巻ごとのロット番号（仕切り量番号あるいは製造番号）表示部７と、検査を行った担当者の印鑑を押した検印部８と、を表示している。
検査の担当者は、所定の検査工程にしたがって、ラベル片４が同一枚数で、同一の印字デザインおよびロール形態（表巻きあるいは裏巻きなどのロール形態）を有するロール用紙１をまとめて、包装袋２に包装し、検査証ラベル６の検印部８に検印をした上で、包装袋２の開口部５を閉じるようにこの検査証ラベル６を貼り付け、包装ロール９としている。
すなわち、この検査証ラベル６は、包装ロール９の検査証機能と、開口部５の封止機能と、を有しているものである。
【０００４】
図４は、包装用ダンボール箱１０の斜視図であって、包装用ダンボール箱１０は、所定数の包装ロール９を梱包し、その外表面に、デザイン名として「・・・用ラベル」などの製品仕様を表示する仕様表示部１１と、ロール用紙１の梱包巻数を示す数量表示部１２と、製造あるいは販売元を示す製造販売元表示部１３と、を有している。
【０００５】
こうした構成の包装袋２および検査証ラベル６、あるいは包装用ダンボール箱１０において、ロール用紙１について、製品の不良、包装ミス、印刷色の違いや印刷デザインミス、その他各種の不具合について顧客（一般的には小売り業者などのラベルユーザー）からの問い合わせや苦情などがあった場合、従来の検査証ラベル６が表示する検査証機能だけでは、上記問い合わせに関するロール用紙１や包装実態などについての追跡調査が不可能であり、顧客に迷惑をかけるという問題がある。
具体的には、たとえば製品仕様として、どのような印字デザインか、あるいはその版番号は何番か、ラベルサイズが合っているのか、などをロット番号表示部７によるロット番号、さらには包装用ダンボール箱１０の仕様表示部１１のデザイン名だけでは判明しにくいという問題がある。
また、製造情報として、いつ、どこで、どのような材料で、製造されたものか、などについての情報を確認するために非常な手間がかかるという問題がある。
さらに、ロール用紙１自体が正しくその顧客あてに配送されたものか、あるいは包装段階でミスがあったのか、などについても、その情報を確認するために非常な手間がかかるという問題がある。
なお、これらの諸問題は、顧客が包装ロール９を手に取って、包装袋２を開封した段階でないと顕在化しないものであり、個々の包装ロール９についての何らかの識別手段が望まれていた。
【０００６】
【特許文献１】特開平１０−６３８１７号公報
【発明の開示】
【発明が解決しようとする課題】
【０００７】
本発明は以上のような諸問題にかんがみなされたもので、検査証機能および封止機能とともに、製品仕様、顧客情報あるいは製造情報などについての追跡調査を容易とした検査証ラベルを提供することを課題とする。
【０００８】
また本発明は、ロール用紙やその包装などについての顧客からの問い合わせや苦情に対して、直ちに対応することができるようにした検査証ラベルを提供することを課題とする。
【０００９】
また本発明は、少なくともそれぞれの包装ロールについて、製品および顧客についてのデータベースにアクセス可能とする製品識別情報を表示可能とした検査証ラベルを提供することを課題とする。
【課題を解決するための手段】
【００１０】
すなわち本発明は、ロール用紙の印刷デザインやその版番号などの製品仕様情報、顧客情報、あるいは、いつ、どこで、どのような材料で、製造されたものか、などの製造情報について、製品のデータベースにアクセス可能な製品識別情報をバーコードにより表示することに着目したもので、複数巻のロール用紙を包装する包装袋の開口部を閉じるようにこの開口部に、このロール用紙の検査証として貼り付けるための検査証ラベルであって、上記ロール用紙についての製品識別情報をバーコードにより表示していることを特徴とする検査証ラベルである。
【００１１】
上記製品識別情報は、上記ロール用紙の製造にあたっての版番号あるいはデザイン番号などの製品仕様情報を含むことができる。
【００１２】
上記製品識別情報は、上記ロール用紙の顧客を識別可能とする顧客識別番号などの顧客情報を含むことができる。
【００１３】
上記製品識別情報は、上記ロール用紙の製造日、製造場所、製造担当者あるいは製造材料に関する内容などの製造情報を含むことができる。
【００１４】
上記バーコードとしては、一般的な一次元読取り方向を有するバーコードはもちろん、二次元コードなど、バーコードスキャナーなどにより機械的ないし光学的に読取り可能なその他任意の構成のバーコードを採用することができる。
【発明の効果】
【００１５】
本発明による検査証ラベルにおいては、ロール用紙についての製品識別情報をバーコードにより表示するようにしたので、とくにロール用紙の製造にあたっての版番号あるいはデザイン番号などから各種の製品識別情報を追跡して、顧客への説明および修正その他の対応を迅速かつ確実に行うことが可能である。
【発明を実施するための最良の形態】
【００１６】
本発明は、
ロール用紙の製造日、製造場所、製造担当者、製造材料に関する内容を含む製品識別情報を検査証ラベルにバーコードにより表示したので、このバーコードを読み取ることにより、製品識別情報を直ちに確認可能な検査証ラベルを実現した。
【実施例】
【００１７】
つぎに本発明の実施例による検査証ラベル２０を図１および図２にもとづき説明する。ただし、図３および図４と同様の部分には同一符号を付し、その詳述はこれを省略する。
図１は、検査証ラベル２０の平面図であって、検査証ラベル２０は、前記ロール用紙１のロール径ないし同等な径を覆うだけの直径の円形状を呈し、前記包装袋２の開口部５を封止可能であるとともに、その中央部に検査証として、検査担当者表示部２１と、ロット番号表示部２２と、デザイン名表示部２３と、バーコード表示部２４と、バーコード表示部２４による数字表示部２５と、枚数表示部２６と、を有する。
【００１８】
検査担当者表示部２１は、ロール用紙１およびその包装の検査を担当した者の氏名を表示する。
ロット番号表示部２２は、ロール用紙１のロット番号を表示する。
デザイン名表示部２３は、ロール用紙１のラベル片４に印刷される印刷デザイン名あるいはそのデザイン番号を表示する。
【００１９】
バーコード表示部２４は、とくにロール用紙１の製造にあたっての各種の製品識別情報をバーコードにより表示する。
製品識別情報としては、たとえば、ロール用紙１についての製品仕様情報、ロール用紙１の顧客の顧客情報、あるいはロール用紙１の製造情報を含むことができる。
製品仕様情報は、ロール用紙１の製造にあたっての、ラベル片４上への印刷のための版番号あるいはデザイン番号を含むことができる。
顧客情報は、ロール用紙１の顧客を識別可能とする顧客識別番号を含むことができる。
製造情報は、ロール用紙１の製造日、製造場所、製造担当者、製造材料に関する内容を含むことができる。
製品識別情報は、少なくとも上記版番号あるいはデザイン番号などの製品仕様情報を含むことにより、あるいは上記各情報の番号ないし内容についての任意の組み合わせを表示しておき、バーコード表示部２４を機械的に読取ることにより、ロール用紙１の製造にあたって蓄積したデータベース情報の検索を容易とすることができる。
なお、バーコード表示部２４による数字表示部２５の数字を検索者がパソコン（図示せず）などに入力することにより、同様の検索を実行可能とする。
【００２０】
図２は、所定の製品識別情報を検索してパソコン上に表示する一例としての印刷デザイン画面２７の説明図であって、印刷デザイン画面２７上には、版番号表示欄２８をはじめとして、ロール用紙１の具体的な印刷デザイン、印刷機名、ラベルサイズ、台紙サイズ、台紙のダイカット番号、さらには印刷の色サンプルなど、必要な情報を追跡表示可能とすることができる。
【００２１】
こうした構成の検査証ラベル２０によれば、顧客からの問い合わせや苦情に対しても、バーコード表示部２４のバーコードを読み取るだけで、ロール用紙１ないしその包装や配送について、パソコン上に必要な情報を表示して追跡調査することができるので、上記問い合わせに関する確認事項を把握して、迅速かつ確実に事後の対処を実行することができる。
【図面の簡単な説明】
【００２２】
【図１】本発明の実施例による検査証ラベル２０の平面図である。
【図２】同、所定の製品識別情報を検索してパソコン上に表示する一例としての印刷デザイン画面２７の説明図である。
【図３】従来からの複数巻のロール用紙１を包装した包装袋２の斜視図である。
【図４】同、包装用ダンボール箱１０の斜視図である。
【符号の説明】
【００２３】
１  ロール用紙
２  包装袋
３  帯状の台紙
４  ラベル片
５  包装袋２の開口部
６  検査証ラベル（従来、図３）
７  ロット番号表示部
８  検印部
９  包装ロール
１０  包装用ダンボール箱
１１  仕様表示部
１２  数量表示部
１３  製造販売元表示部
２０  検査証ラベル（実施例、図１）
２１  検査担当者表示部
２２  ロット番号表示部
２３  デザイン名表示部
２４  バーコード表示部
２５  バーコード表示部２４による数字表示部
２６  枚数表示部
２７  印刷デザイン画面（図２）
２８  版番号表示欄
【図１】
2008009045.tif 000003
【図２】
2008009045.tif 000004
【図３】
2008009045.tif 000005
【図４】
2008009045.tif 000006